(57)【要約】【課題】空気調和機の室内機における電装品箱の構造を改良することで、室内機の小型化を実現するとともに、電装品箱内の電装基板のメンテナンス性を向上する。【解決手段】この空気調和機の室内機は、外装ケース１０内に電装品箱３０を収容したものであって、電装品箱３０は、各種電気部品３１ａ、３１ｂ・・を実装してなる電装基板３２と、この電装基板３２を収容する箱本体３３とを備え、箱本体３３は、外装ケース１０の内面に沿って配された開閉蓋３４と、開閉蓋３４に対して対向配置され、且つ、上記箱本体３３内の収容空間４５の余剰スペースを狭めるように傾斜した傾斜面部３５とを備え、電装基板３２は、その各種電気部品３１ａ、３１ｂ・・が開閉蓋３４側へ向かって張り出すようにして傾斜面部３５に沿って傾斜して配されている。【選択図】図５
2008082687.tif 000002
【特許請求の範囲】
【請求項１】
外装ケース（１０）内に電装品箱（３０）を収容した空気調和機の室内機において、上記電装品箱（３０）は、各種電気部品（３１ａ）（３１ｂ）・・を実装してなる電装基板（３２）と、この電装基板（３２）を収容する箱本体（３３）とを備え、上記箱本体（３３）は、上記外装ケース（１０）の内面に沿って配された開閉蓋（３４）と、上記開閉蓋（３４）に対して対向配置され、且つ、上記箱本体（３３）内の収容空間（４５）の余剰スペースを狭めるように傾斜した傾斜面部（３５）とを備え、上記電装基板（３２）は、その各種電気部品（３１ａ）（３１ｂ）・・が上記開閉蓋（３４）側へ向かって張り出すようにして上記傾斜面部（３５）に沿って傾斜して配されたことを特徴とする空気調和機の室内機。
【請求項２】
上記電装品箱（３０）の電装基板（３２）は、上記開閉蓋（３４）側への張出量が大きい電気部品（３１ａ）・・が集中して実装された第１部位（５１）と、上記開閉蓋（３４）側への張出量が小さい電気部品（３１ｂ）・・が集中して実装された第２部位（５２）とを備え、上記箱本体（３３）内の収容空間（４５）のうち上記開閉蓋（３４）と傾斜面部（３５）との間隔が広くなっている大収容部（４６）に対応して、上記電装基板（３２）の第１部位（５１）が配置され、上記箱本体（３３）内の収容空間（４５）のうち上記開閉蓋（３４）と傾斜面部（３５）との間隔が狭くなっている小収容部（４７）に対応して、上記電装基板（３２）の第２部位（５２）が配置された請求項１記載の空気調和機の室内機。
【請求項３】
上記電装品箱（３０）における箱本体（３３）の開閉蓋（３４）が、上記外装ケース（１０）の側壁部（２３）内面に沿って配され、上記電装品箱（３０）における箱本体（３３）の傾斜面部（３５）が、上記外装ケース（１０）内に収容した熱交換器（１１）の側部に面するようにして配され、この傾斜面部（３５）の傾斜により生じた空きスペース（６０）に上記熱交換器（１１）の冷媒配管（２２）が配置された請求項１又は２記載の空気調和機の室内機。
【請求項４】
上記電装品箱（３０）における箱本体（３３）の傾斜面部（３５）は、その上部側が開閉蓋（３４）に近接するように傾斜された請求項３記載の空気調和機の室内機。
【発明の詳細な説明】
【技術分野】
【０００１】
この発明は、電装品箱を内装した空気調和機の室内機に関するものである。
【背景技術】
【０００２】
一般に、空気調和機の室内機は、外装ケース内に熱交換器と送風ファンとを備え、送風ファンにより吸込口から吸い込んだ空気を、熱交換器を通過させることにより冷却又は加熱して、吹出口から室内へ吹き出すようになっている。
【０００３】
この種の室内機においては、外装ケース内における例えば熱交換器及び送風ファンの側方の幅狭なスペースに、幅狭で高さ寸法のある電装品箱を収容したものが多く見受けられ、この電装品箱には、各種電気部品を実装してなる電装基板が縦置き状態で内装されている。
【０００４】
電装品箱としては、その側面部に開閉蓋を備え付けているものがあり、外装ケースを取り外すことで、開閉蓋が外部に露出するようになっている。そして、この開閉蓋を開放すれば、電装基板の修理や交換といったメンテナンスが行えるようになっている。
【０００５】
ところが、電装基板に実装される各種電気部品の高さはまちまちであることから、電装基板を縦置き状態として内装した電装品箱では、最も背の高いすなわち基板実装面からの横方向(幅方向)への張出量が最も大きくなる電気部品を基準として、その幅寸法が設定されている。従って、電装品箱内に無駄なスペースが生じ易くなって電装品箱の幅寸法が大きくなり、室内機の小型化の妨げとなるといった問題があった。
【０００６】
そこで、例えば図１０に示すように、外装ケース１内における熱交換器２及び送風ファン３の側方の幅狭なスペースに収容する電装品箱４において、その熱交換器２及び送風ファン３の側部に面する側面部に開閉蓋５を設け、この開閉蓋５に対向する側面部６に沿って電装基板７を縦置き状態で配置して、この電装基板７の各種電気部品８・・の基板実装面からの張出量に合わせて開閉蓋５を凹凸状に形成することで、電装品箱４内の無駄なスペースをなくすとともに、開閉蓋５の凹部を利用して送風ファン３のファンモータを効果的に配置して室内機の幅寸法を抑え、これによって室内機の小型化を図るようした構造の室内機が提案されている。（例えば、特許文献１参照。）
【０００７】
【特許文献１】特許第３１５４９２３号公報
【発明の開示】
【発明が解決しようとする課題】
【０００８】
しかしながら、図１０に示す構造の場合、室内機の小型化には貢献しても、電装品箱４内の電装基板７の修理や交換といったメンテナンスに際しては逆に作業効率が悪くなるといった問題があった。すなわち、図１０に示す構造の場合、外装ケース１を取り外して、さらに電装品箱４を取り外さなければ、開閉蓋５を開放して電装品箱４内の電装基板７のメンテナンスを行うことができず、面倒な作業を強いられていた。
【０００９】
また、従来においては、室内機の幅寸法を抑制する上で、送風ファンにおけるファンロータとファンモータの幅寸法が最大阻害要因となっていたが、近年においては、ファンモータの小型化が進んだことから、熱交換器の幅寸法が最大阻害要因となりつつある。ところが、図１０に示す構造の場合、開閉蓋５の凹部に送風ファンのファンモータを配置するようになっているので、上記のような近年の状況に対応することができず、室内機の幅寸法を抑制する上でも改良の余地があった。
【００１０】
この発明は、上記従来の課題を解決するためになされたものであって、その目的は、空気調和機の室内機における電装品箱の構造を改良することで、室内機の小型化を実現するとともに、電装品箱内の電装基板のメンテナンス性を向上することにある。
【課題を解決するための手段】
【００１１】
上記課題を解決するため、この発明の空気調和機の室内機は、外装ケース１０内に電装品箱３０を収容したものであって、上記電装品箱３０は、各種電気部品３１ａ、３１ｂ・・を実装してなる電装基板３２と、この電装基板３２を収容する箱本体３３とを備え、上記箱本体３３は、上記外装ケース１０の内面に沿って配された開閉蓋３４と、上記開閉蓋３４に対して対向配置され、且つ、上記箱本体３３内の収容空間４５の余剰スペースを狭めるように傾斜した傾斜面部３５とを備え、上記電装基板３２は、その各種電気部品３１ａ、３１ｂ・・が上記開閉蓋３４側へ向かって張り出すようにして上記傾斜面部３５に沿って傾斜して配されたことを特徴とする。
【００１２】
具体的に、上記電装品箱３０の電装基板３２は、上記開閉蓋３４側への張出量が大きい電気部品３１ａ・・が集中して実装された第１部位５１と、上記開閉蓋３４側への張出量が小さい電気部品３１ｂ・・が集中して実装された第２部位５２とを備え、上記箱本体３３内の収容空間４５のうち上記開閉蓋３４と傾斜面部３５との間隔が広くなっている大収容部４６に対応して、上記電装基板３２の第１部位５１が配置され、上記箱本体３３内の収容空間４５のうち上記開閉蓋３４と傾斜面部３５との間隔が狭くなっている小収容部４７に対応して、上記電装基板３２の第２部位５２が配置されている。
【００１３】
また、上記電装品箱３０における箱本体３３の開閉蓋３４が、上記外装ケース１０の側壁部２３内面に沿って配され、上記電装品箱３０における箱本体３３の傾斜面部３５が、上記外装ケース１０内に収容した熱交換器１１の側部に面するようにして配され、この傾斜面部３５の傾斜により生じた空きスペース６０に上記熱交換器１１の冷媒配管２２が配置されている。そして、上記電装品箱３０における箱本体３３の傾斜面部３５は、その上部側が開閉蓋３４に近接するように傾斜されている。
【発明の効果】
【００１４】
この発明の空気調和機の室内機においては、外装ケースを取り外すことで、電装品箱における箱本体の開閉蓋が外部に露出する。従って、電装品箱全体を取り外すことなく、外部に露出した開閉蓋を開放するだけで、箱本体内の収容空間において各種電気部品が開閉蓋側へ向かって張り出すように設けられた電装基板の修理や交換を簡単に行うことができ、メンテナンス性を向上することができる。
【００１５】
しかも、電装品箱における箱本体の傾斜面部によって、箱本体内の収容空間の余剰スペースが狭められているので、電装品箱の幅寸法を部分的に小さくして、室内機の小型化を実現することができる。
【００１６】
特に、電装品箱における箱本体の収容空間に電装基板を収容するにあたって、張出量が大きい電気部品が集中して実装された第１部位を大収容部に、張出量が小さい電気部品が集中して実装された第２部位を小収容部にそれぞれ対応させて配置することで、収容空間を有効に利用して余剰スペースを大幅に狭めることができる。
【００１７】
また、電装品箱における箱本体の傾斜面部の傾斜により生じた空きスペースを利用して、熱交換器の冷媒配管を配置することで、近年において室内機の幅寸法を抑制する上での最大阻害要因である熱交換器の幅寸法を吸収して、室内機の幅寸法を効果的に抑え、室内機の小型化をより確実に実現することができる。
【００１８】
さらに、電装品箱における箱本体の傾斜面部を、その上部側が開閉蓋に近接するように傾斜させることで、この傾斜面部に沿って配されている電装基板のメンテナンスに際して、開閉蓋を取り外したときに、室内機側方において斜め下方から作業を行う作業者にとって電装基板が一段と見易くなり、メンテナンス性をさらに高めることができる。
【発明を実施するための最良の形態】
【００１９】
この発明の一実施形態を、図面を参照しつつ詳細に説明する。この発明の一実施形態に係る空気調和機の室内機は、図１及び図２に示すように、外装ケース１０内に熱交換器１１及び送風ファン１２を備え、送風ファン１２により吸込口１３から吸い込んだ空気を、熱交換器１１を通過させることにより冷却または加熱して、外装ケース１０の下部前面側に形成した吹出口１４から吹き出すようになっている。
【００２０】
外装ケース１０は、熱交換器１１及び送風ファン１２を装着した底フレーム２０に対して着脱可能に取り付けられている。熱交換器１１は、逆Ｖ字状に形成したフィン２１に冷媒配管２２を貫通させてなり、このフィン２１に囲まれるようにして送風ファン１２が配置されている。
【００２１】
そして、外装ケース１０内において、図３に示すように、熱交換器１１及び送風ファン１２の側方に電装品箱３０が収容されている。具体的には、熱交換器１１及び送風ファン１２と外装ケース１０の一方の側壁部２３との間の幅狭なスペースに、電装品箱３０が配置されている。
【００２２】
図４乃至図６は、電装品箱３０の構造を示している。この電装品箱３０は、各種電気部品３１ａ、３１ｂ・・を実装してなる電装基板３２と、この電装基板３２を縦置き状態で収容する箱本体３３とを備えている。
【００２３】
箱本体３３は、外装ケース１０の側壁部２３の内面に沿って上下方向に配された第１側面部３４と、この第１側面部３４に対して対向配置されて、熱交換器１１の側部に面するように配された第２側面部３５と、これら第１側面部３４と第２側面部３５の上端部間に跨って横方向に配された上面部３７と、第１側面部３４と第２側面部３５の下端部間に跨って横方向に配された下面部３８と、第１側面部３４と第２側面部３５の前端部間に跨って上下方向に配された前面部３９と、第１側面部３４と第２側面部３５の後端部間に跨って上下方向に配された後面部４０とから構成されている。なお、下面部３８には、外装ケース１０に設けた表示パネル４１に対応した受信表示部４２がアーム４３を介して連結されている。
【００２４】
そして、この箱本体３３の第１側面部３４は、箱本体３３内の収納空間４５を開閉する開閉蓋によって構成されており、この開閉蓋３４に対して対向配置された第２側面部３５が傾斜面部とされている。この傾斜面部３５は、その上部側が開閉蓋３４に近接するように傾斜している。従って、箱本体３３内の収納空間４５は、上方へ向かうにつれて開閉蓋３４と傾斜面部３５との間の間隔が狭くなっている。
【００２５】
電装基板３２は、図５に示すように、基板実装面５０からの張出量が大きい背の高い電気部品３１ａ・・が集中して実装された第１部位５１と、基板実装面５０からの張出量が小さい背の低い電気部品３１ｂ・・が集中して実装された第２部位５２とを備えている。
【００２６】
そして、この電装基板３２は、電気部品３１ａ、３１ｂ・・が箱本体３３の開閉蓋３４側へ向かって横方向(幅方向)へ張り出すようにして、傾斜面部３５に沿って傾斜して取り付けられている。この電装基板３２の取り付け状態において、第１部位５１が箱本体３３内の収容空間４５のうち開閉蓋３４と傾斜面部３５との間隔が広くなっている下部側の大収容部４６に対応して配置され、第２部位５２が箱本体３３内の収容空間４５のうち開閉蓋３４と傾斜面部３５との間隔が狭くなっている上部側の小収容部４７に対応して配置されている。
【００２７】
すなわち、この電装品箱３０においては、熱交換器１１の側部に面する箱本体３３の傾斜面部３５及び電装基板３２が、電気部品３１ａ、３１ｂ・・の頭部と開閉蓋３４との間に生じる箱本体３３内の収納空間４５の余剰スペースを狭めるように開閉蓋３４側へ傾斜しており、これによって電装品箱３０の幅寸法を部分的に抑えている。
【００２８】
図７乃至図９は、外装ケース１０を取り外した室内機の内部構造を示している。図７及び図８に示すように、上記の電装品箱３０における箱本体３３の傾斜面部３５の傾斜により生じた空きスペース６０には、熱交換器１１の冷媒配管２２の一部が配置されている。これにより、近年において室内機の幅寸法を抑制する上での最大阻害要因である熱交換器１１の幅寸法を吸収して、室内機の幅寸法を効果的に抑え、室内機の小型化を実現している。
【００２９】
上記構成の室内機において、電装品箱３０の電装基板３２を修理又は交換する際には、まず外装ケース１０を底フレーム２０から取り外す。このとき、図８及び図９に示すように、電装品箱３０の開閉蓋３４が外部に露出する。そして、この開閉蓋３４を取り外して、箱本体３３内の収納空間４５を開放すれば、電装基板３２が外部に露出して、修理や交換といったメンテナンスを行うことができる。従って、電装品箱３０全体を取り外す必要がなく、メンテナンス性を向上することができる。しかも、箱本体３３の傾斜面部３５に沿って傾斜して配されている電装基板３２は、室内機側方において斜め下方から作業を行う作業者から見易くなっていることから、メンテナンスをより一層容易にしている。電装基板３２の修理や交換が終了すると、開閉蓋３４を取り付けて、外装ケース１０を底フレーム２０に取り付ければ良い。
【００３０】
以上にこの発明の具体的な実施の形態について説明したが、この発明は上記形態に限定されるものではなく、この発明の範囲内で種々変更して実施することができる。
【図面の簡単な説明】
【００３１】
【図１】この発明の一実施形態に係る空気調和機の室内機の正面図である。
【図２】同じくその縦断面図である。
【図３】熱交換器、送風ファン及び電装品箱の配置を示す室内機の概略図である。
【図４】電装品箱の正面図である。
【図５】同じくその縦断面図である。
【図６】同じくその側面図である。
【図７】外装ケースを取り外した室内機の内部構造を示す正面図である。
【図８】同じくその要部拡大図である。
【図９】同じくその側面図である。
【図１０】従来の熱交換器、送風ファン及び電装品箱の配置を示す室内機の概略図である。
【符号の説明】
【００３２】
１０・・外装ケース、１１・・熱交換器、２２・・冷媒配管、２３・・側壁部、３０・・電装品箱、３１ａ・・張出量が大きい電気部品、３１ｂ・・張出量が小さい電気部品、３２・・電装基板、３３・・箱本体、３４・・開閉蓋、３５・・傾斜面部、４５・・収容空間、４６・・大収容部、４７・・小収容部、５１・・第１部位、５２・・第２部位、６０・・空きスペース
【図１】
2008082687.tif 000003
【図２】
2008082687.tif 000004
【図３】
2008082687.tif 000005
【図４】
2008082687.tif 000006
【図５】
2008082687.tif 000007
【図６】
2008082687.tif 000008
【図７】
2008082687.tif 000009
【図８】
2008082687.tif 000010
【図９】
2008082687.tif 000011
【図１０】
2008082687.tif 000012